(57)【要約】【課題】魅力ある多様なネットワークサービスを容易に提供可能にする。【解決手段】システムは、コンテンツデータを保持するコンテンツサーバ装置と、コンテンツサーバ装置が保持するコンテンツデータに対する処理を施すコンテンツ処理サービスを実施するコンテンツ処理サーバ装置と、ユーザ利用のクライアント装置からコンテンツデータ取得要求を受信したときに通知を発するプロキシキャッシュ装置としてのエッジ装置と、エッジ装置と接続されるサービス制御装置とを備える。サービス制御装置は、コンテンツ処理サービスに加入しているユーザの契約に関する契約情報を保持し、エッジ装置からの通知を受けたとき、取得要求を発したクライアント装置を利用するユーザの契約情報に基づいてコンテンツ処理サーバ装置が実施するべきコンテンツ処理サービスの形態を決定するとともに、決定したサービスの形態をエッジ装置に通知する。【選択図】図１
2008287728.tif 000002
【特許請求の範囲】
【請求項１】
ネットワークに接続され、コンテンツデータを保持するコンテンツサーバ装置と、
前記ネットワークに接続され、前記コンテンツサーバ装置が保持するコンテンツデータに対する処理を施すコンテンツ処理サービスを実施するコンテンツ処理サーバ装置と、
ユーザが利用するクライアント装置と前記ネットワークとの間に介在し、前記クライアント装置からコンテンツデータ取得要求を受信したときに通知を発する、プロキシキャッシュ装置として動作するエッジ装置と、
前記ネットワークを介して前記エッジ装置と接続されるサービス制御装置とを備え、
前記サービス制御装置は、前記コンテンツ処理サービスに加入しているユーザの契約に関する契約情報を保持し、前記エッジ装置からの前記通知を受けたとき、コンテンツデータ取得要求を発した前記クライアント装置を利用する前記ユーザの契約情報に基づいて前記コンテンツ処理サーバ装置が実施するべき前記コンテンツ処理サービスの形態を決定するとともに、決定した前記コンテンツ処理サービスの形態を前記エッジ装置に通知することを特徴とするコンテンツ処理サービス制御システム。
【請求項２】
前記サービス制御装置は、対応する前記コンテンツ処理サーバ装置に対する決定したコンテンツ処理サービスの形態の通知と、コンテンツ処理サービス適用対象となるコンテンツの前記コンテンツ処理サーバ装置への転送とを、前記エッジ装置に対して要求し、
前記エッジ装置は、前記サービス制御装置からの要求とに応じて、前記コンテンツ処理サービスの通知と、前記コンテンツ処理サービス適用対象となるコンテンツの転送を、対応する前記コンテンツ処理サーバ装置に対して行うことを特徴とする、請求項１に記載のコンテンツ処理サービス制御システム。
【請求項３】
前記サービス制御装置は、コンテンツ処理サービスに加入しているユーザに関する契約情報として、ユーザが利用するクライアント装置の識別子と、前記ユーザが加入しているコンテンツ処理サービスの種別情報とを保持する第１の記憶部を有することを特徴とする、請求項１または２に記載のコンテンツ処理サービス制御システム。
【請求項４】
コンテンツに対する処理を実行するコンテンツ処理装置との間で、コンテンツ処理に対応したプロトコルを適用するエッジ装置と、
前記エッジ装置とネットワークを介して接続されるサービス制御装置とを備えたコンテンツ処理サービス制御システムであって、
前記サービス制御装置は、
ユーザを識別する情報と、前記ユーザが加入するコンテンツ処理サービスを識別する情報と、コンテンツ処理ルールとを保持する保持部と、
コンテンツデータ取得要求を受けたときに、前記保持部を参照して、コンテンツデータ取得要求を発したユーザに適用するコンテンツ処理サービスの形態を決定して、決定したコンテンツ処理サービスの形態を前記エッジ装置に通知する制御部とを備え、
前記エッジ装置は、前記サービス制御装置からの通知に応じて、前記コンテンツ処理装置に決定したコンテンツ処理サービスの形態を通知することを特徴とする、コンテンツ処理サービス制御システム。
【発明の詳細な説明】
【技術分野】
【０００１】
本発明はコンテンツ処理サービス制御システムに関し、特に魅力ある多様なネットワークサービスを容易に提供可能なコンテンツ処理サービス制御システムに関する。
【背景技術】
【０００２】
インターネットなどのＩＰ（Internet Protocol）ネットワークの普及を背景として、ネットワークサービスとしての電子メール及びＷｅｂアクセスなどのデータ通信サービスの利用が急激な増加傾向を示している。
【０００３】
このデータ通信サービスとしてのＷｅｂコンテンツなどのコンテンツ処理サービスは、Ｗｅｂアクセスに付加価値を与えるサービスであり、ＩＥＴＦ（Internet Engineering Task Force）においては、コンテンツ処理用プロトコルＩＣＡＰ（Internet Content Adaptation Protocol）が検討されている（「http://www.ietf.org/internet-drafts/draft-elson-opes-icap-01.txt」参照）。
【０００４】
コンテンツ処理サービスの例としては、ＵＲＬ（Uniform Resource Locator）に基づくＷｅｂサーバへのアクセス・フィルタ、エンドユーザの嗜好に適合した広告の挿入（追加）、ウイルスチェック、及びＷｅｂページの言語翻訳などがある。
【０００５】
このようなコンテンツ処理サービスを提供するネットワークシステムにおいては、コンテンツ処理を実行するためのコンテンツ処理サーバ機能の配備先として、キャッシュ機能を有するプロキシサーバであるプロキシ・キャッシュ装置内、あるいはコンテンツ・サーバ装置に至る経路上に存在する装置内が主流である。
【０００６】
上記コンテンツ処理用プロトコルＩＣＡＰを利用すると、コンテンツ処理サーバ機能に対応するＩＣＡＰサーバ機能を上記装置以外の装置に配備することが可能となる。
【０００７】
ただし、コンテンツ処理用プロトコルＩＣＡＰは、ＩＣＡＰサーバとＩＣＡＰクライアントとがインタワークするための手法を規定しているだけである。また、プロキシ・キャッシュ装置やコンテンツ処理サーバ機能を持つコンテンツ処理サーバ装置を外部の制御装置から動的に制御するための構成は想定されていない。
【発明の開示】
【発明が解決しようとする課題】
【０００８】
上述した従来のコンテンツ処理サービスを提供するネットワークシステムにおいては、次のような問題がある。
【０００９】
（１）コンテンツ処理サーバ装置の配置場所が固定されるため、コンテンツ処理サーバ装置があらゆるコンテンツ処理形態に対応する必要があり、多様なコンテンツ処理サーバ機能の網配備を柔軟に行うことができない。ただし、この問題はプロトコルＩＣＡＰの利用により解消可能である。
【００１０】
（２）コンテンツ処理サーバ機能の配備先が固定的に決められているため、コンテンツ処理サーバ機能の負荷分散を図るのが難しい。ただし、この問題はプロトコルＩＣＡＰの利用により解消可能である。
【００１１】
（３）あるコンテンツ処理サーバ装置で行われたコンテンツ処理の結果に対応する処理
後コンテンツを異なるコンテンツ処理サーバ装置で再利用することができないため、コンテンツ処理サーバ装置を資源として有効利用できない。
【００１２】
（４）また、これまでは、コンテンツ処理を専門に行うコンテンツ処理事業者や、加入者（クライアント装置を利用するエンドユーザ）の嗜好などに基づいて、柔軟にコンテンツ処理を加入者に提供するコンテンツ処理サービス小売事業者のような存在が意識されていない。プロトコルＩＣＡＰを利用して加入者の嗜好に基づいた柔軟なコンテンツ処理サービスを提供しようとした場合、加入者の嗜好情報を保持するコンテンツ処理サービス小売事業者は、ＩＣＡＰクライアント機能あるいはＩＣＡＰサーバ機能を持つ装置を所有し、ＩＰネットワークに配備する必要が生じてしまうため、サービス事業への参入が困難となる。
【００１３】
本発明の課題は、これらの問題を解消し、魅力ある多様なネットワークサービスを容易に提供可能な手法を提供することにある。
【課題を解決するための手段】
【００１４】
上記課題を解決するために、本発明の第１のコンテンツ処理サービス制御システムは、ネットワークに接続され、コンテンツデータを保持するコンテンツサーバ装置と、前記ネットワークに接続され、前記コンテンツサーバ装置が保持するコンテンツデータに対する処理を施すコンテンツ処理サービスを実施するコンテンツ処理サーバ装置と、ユーザが利用するクライアント装置と前記ネットワークとの間に介在し、前記クライアント装置からコンテンツデータ取得要求を受信したときに通知を発する、プロキシキャッシュ装置として動作するエッジ装置と、前記ネットワークを介して前記エッジ装置と接続されるサービス制御装置とを備え、前記サービス制御装置は、前記コンテンツ処理サービスに加入しているユーザの契約に関する契約情報を保持し、前記エッジ装置からの前記通知を受けたとき、コンテンツデータ取得要求を発した前記クライアント装置を利用する前記ユーザの契約情報に基づいて前記コンテンツ処理サーバ装置が実施するべき前記コンテンツ処理サービスの形態を決定するとともに、決定した前記コンテンツ処理サービスの形態を前記エッジ装置に通知する。
【００１５】
本発明の第２のコンテンツ処理サービス制御システムは、コンテンツに対する処理を実行するコンテンツ処理装置との間で、コンテンツ処理に対応したプロトコルを適用するエッジ装置と、前記エッジ装置とネットワークを介して接続されるサービス制御装置とを備えたコンテンツ処理サービス制御システムであって、前記サービス制御装置は、ユーザを識別する情報と、前記ユーザが加入するコンテンツ処理サービスを識別する情報と、コンテンツ処理ルールとを保持する保持部と、コンテンツデータ取得要求を受けたときに、前記保持部を参照して、コンテンツデータ取得要求を発したユーザに適用するコンテンツ処理サービスの形態を決定して、決定したコンテンツ処理サービスの形態を前記エッジ装置に通知する制御部とを備え、前記エッジ装置は、前記サービス制御装置からの通知に応じて、前記コンテンツ処理装置に決定したコンテンツ処理サービスの形態を通知する。
【発明の効果】
【００１６】
本発明によれば、次の効果を期待することができる。
【００１７】
（１）コンテンツ処理機能をネットワークのエッジ装置（プロキシ・キャッシュ装置）以外の装置、例えば専用のコンテンツ処理サーバ装置に配備可能にする。
【００１８】
（２）ネットワークのエッジ装置やコンテンツ処理サーバ装置を外部から制御するサービス制御装置を新たに定義し、サービス制御装置によるエッジ装置からコンテンツ処理サーバ装置へのコンテンツ転送や、コンテンツ処理サービス形態を指定したコンテンツ処理
サーバ装置の制御を可能にする。
【００１９】
（３）処理済コンテンツがどのエッジ装置で管理されているかを管理し、あるエッジ装置が他のエッジ装置から所望の処理後コンテンツを取得可能にする。
【００２０】
（４）ネットワーク基本機能を持つエッジ装置と、コンテンツ処理固有の機能を持つコンテンツ処理サーバ装置とに分離可能にし、各機能間のインタフェースを定義することで、サービス制御装置を新たなサービス追加に柔軟に対応可能とする。これにより、加入者の嗜好情報を持つコンテンツ処理サービス小売事業者は、ネットワーク基本機能を提供するエッジ装置や言語翻訳機能などのコンテンツ処理機能を持つことなく、コンテンツ処理サービス事業への参入が容易に可能となる。また、言語翻訳などのコンテンツ処理機能のみを持った事業者は、上記のようなコンテンツ処理サービス小売事業者の存在を前提にすることにより、コンテンツ処理事業への参入が容易になる。
【発明を実施するための最良の形態】
【００２１】
次に、本発明の実施の形態について図面を参照して説明する。
【００２２】
〔コンテンツ処理サービス制御システムの構成及び機能〕
〈コンテンツ処理サービス制御システム〉
本発明の一実施の形態におけるシステム構成を示す図１を参照すると、このコンテンツ処理サービス制御システムＳＹＳは、通信ネットワークの入口及び出口エッジ位置にエッジノードとしてのエッジ装置（プロキシ・キャッシュ装置）Ｅ１，Ｅ２を有するインターネットまたはイントラネットなどのＩＰネットワークＮＷと、ＩＰネットワークＮＷにエッジ装置Ｅ２を通して収容され、コンテンツの原本（原コンテンツデータ）を保持するプロバイダサーバなどのコンテンツ・サーバ装置ＣＳと、ＩＰネットワークＮＷにエッジ装置Ｅ１を通して収容され、コンテンツ・サーバ装置ＣＳに対してコンテンツの取得などを要求するエンドユーザ利用のパーソナルコンピュータなどのクライアント装置Ｃとを備える。
【００２３】
クライアント装置Ｃは、通信機能、情報表示機能、及び情報指定機能が有れば、Ｌ−ｍｏｄｅ等の固定電話端末、ｉ−ｍｏｄｅ、ＥＺｗｅｂまたはＪ−スカイ等の携帯電話端末、及びＰＤＡまたはノート型パーソナルコンピュータ等の携帯情報端末などの単体または複合体のいずれであってもよい。
【００２４】
コンテンツ処理サービス制御システムＳＹＳは、更に、コンテンツに対して予め定められたコンテンツ処理を行うコンテンツ処理サーバ装置ＣＡと、エッジ装置Ｅ１及びコンテンツ処理サーバ装置ＣＡをコンテンツ処理サービス制御アプリケーション（アプリケーションプログラム）ＡＰＬに基づいて制御することにより、コンテンツ処理サービスを実現する複数のサービス制御装置ＳＣ（＃１〜＃Ｎ）とを備える。
【００２５】
コンテンツ処理サービス制御アプリケーションＡＰＬがエッジ装置Ｅ１及びコンテンツ処理サーバ装置ＣＡを制御する方法として、Ｐａｒｌａｙ（「ｈｔｔｐ：／／ｗｗｗ．ｐａｒｌａｙ．ｏｒｇ」参照）やＪＡＩＮ（「ｈｔｔｐ：／／ｊａｖａ．ｓｕｎ．ｃｏｍ／ｐｒｏｄｕｃｔｓ／ｊａｉｎ／ｉｎｄｅｘ．ｈｔｍｌ」参照）などで規定される考え方に基づいたオープンなネットワーク制御ＡＰＩ（Application Programming Interface）を用いることができる。
【００２６】
厳密には、コンテンツ処理サーバ装置ＣＡ及びサービス制御装置ＳＣは、エッジ装置を通してＩＰネットワークＮＷに収容されるが、ここでは図示を省略している。コンテンツ処理サーバ装置ＣＡ、コンテンツ・サーバ装置ＣＳ及びクライアント装置Ｃは、各々複数
存在するが、ここでは代表の１つを図示している。
【００２７】
このコンテンツ処理サービス制御システムＳＹＳにおいて、エッジ装置Ｅ１はコンテンツ処理を行う際にサービス制御装置ＳＣとインタワークする。エッジ装置Ｅ１はコンテンツ処理サービスの起動の必要性（トリガ）を判定し、それをサービス制御装置ＳＣに通知する機能と、サービス制御装置ＳＣからの制御命令を受信・実行する機能とを有する。
【００２８】
サービス制御装置ＳＣはコンテンツ処理サービスに契約しているエンドユーザ（ユーザまたは加入者と記載することもある）に関する加入契約情報を保持し、この加入契約情報に基づいて、実行するべきコンテンツ処理サービス形態（コンテンツ処理ルール）を決定する機能を有する。コンテンツ処理サーバ装置ＣＡはサービス制御装置ＳＣで決定されたコンテンツ処理サービス形態に従ってコンテンツ処理を行う機能を有する。
【００２９】
コンテンツ処理サービスの例としては、ＵＲＬに基づくＷｅｂサーバ（コンテンツ・サーバ装置ＣＳ）へのアクセス・フィルタ、エンドユーザの嗜好に適合した広告の挿入（追加）、ウイルスチェック、及びＷｅｂページの英日変換等の言語翻訳などがある。
【００３０】
〈サービス制御装置、エッジ装置（Ｅ１）〉
図２は上述したコンテンツ処理サービス制御システムＳＹＳにおけるサービス制御装置ＳＣ及びエッジ装置Ｅ１の詳細構成を示す。図３、図４及び図５はサービス制御装置ＳＣのデータベース部の詳細構成を示す。
【００３１】
図１から図５を併せ参照すると、サービス制御装置ＳＣはサービス制御部１０及びデータベース部１１から構成されている。データベース部１１は加入者管理データベース１２、キャッシュ管理データベース１３及び課金データベース１４から構成されている。
【００３２】
このデータベース部１１において、加入者管理データベース１２はコンテンツ処理サービスに加入しているユーザに関する契約情報として、ユーザ利用のクライアント装置Ｃの識別子と、コンテンツ処理サービスの種別情報及びレベル情報とを保持する。キャッシュ管理データベース１３は処理後コンテンツの属性情報と、各処理後コンテンツがどのエッジ装置に保持されているかなどを管理する。また、課金データベース１４はコンテンツ処理に関する課金情報を管理する。
【００３３】
エッジ装置Ｅ１は、サービス制御装置ＳＣ及びコンテンツ処理サーバ装置ＣＡとインタワークするインタワーク部２０と、他装置との間でコンテンツのやり取り（送受信）を行うコンテンツ転送部２１と、コンテンツの原本をキャッシュとして保持する処理前コンテンツ・キャッシュ部２２と、コンテンツの原本を基にコンテンツ処理サーバ装置ＣＡで行われたコンテンツ処理結果をキャッシュとして保持する処理後コンテンツ・キャッシュ部２３と、コンテンツ処理サービスの起動トリガ分析を行い上記２つのキャッシュ部２２，２３及びインタワーク部２０と連携するプロキシ部２４とから構成されている。
【００３４】
エッジ装置Ｅ１は、更に、他のエッジ装置に対してこの他のエッジ装置内の処理後コンテンツ・キャッシュ部２３にキャッシュされている処理後コンテンツを要求する処理後コンテンツ・クライアント部２５と、他のエッジ装置内の処理後コンテンツ・クライアント部２５からの要求に従って自己のエッジ装置内の処理後コンテンツ・キャッシュ部２３にキャッシュされている処理後コンテンツを応答する処理後コンテンツ・サーバ部２６とを有する。
【００３５】
サービス制御装置ＳＣは、コンテンツ処理サービス実行時にクライアント装置Ｃから送信されたコンテンツ（処理前コンテンツ）に対して適用すべきコンテンツ処理ルールを決
定し、複数のうちの対象のコンテンツ処理サーバ装置ＣＡにコンテンツ処理ルールを通知すると共にクライアント装置Ｃから転送されたコンテンツをコンテンツ処理サーバ装置ＣＡに転送する旨をエッジ装置Ｅ１に要求する。
【００３６】
エッジ装置Ｅ１は、サービス制御装置ＳＣからの要求に従って、クライアント装置Ｃから送信された処理前コンテンツをコンテンツ処理サーバ装置ＣＡに転送した後、コンテンツ処理サーバ装置ＣＡから処理が施されたコンテンツ（処理後コンテンツ）を受信し、この処理後コンテンツをコンテンツ・サーバ装置ＣＳに転送する。
【００３７】
また、サービス制御装置ＳＣは、コンテンツ処理サービス実行時にコンテンツ・サーバ装置ＣＳから送信されたコンテンツに対して適用すべきコンテンツ処理ルールを決定し、対象のコンテンツ処理サーバ装置ＣＡにコンテンツ処理ルールを通知すると共にコンテンツ・サーバ装置ＣＳから転送されたコンテンツをコンテンツ処理サーバ装置ＣＡに転送する旨をエッジ装置Ｅ１に要求する。
【００３８】
エッジ装置Ｅ１は、サービス制御装置ＳＣからの要求に従って、コンテンツ・サーバ装置ＣＳから送信されたコンテンツをコンテンツ処理サーバ装置ＣＡに転送した後、コンテンツ処理サーバ装置ＣＡから処理後コンテンツを受信し、この処理後コンテンツをクライアント装置Ｃに転送する。
【００３９】
一層詳述すると、サービス制御装置ＳＣにおけるサービス制御部１０は、クライアント装置Ｃから要求された処理前コンテンツに対して適用すべきコンテンツ処理ルールを決定した後、クライアント装置Ｃから要求された処理前コンテンツの識別子、及びこの処理前コンテンツに適用されるべきコンテンツ処理ルールをキー情報として、データベース部１１のキャッシュ管理データベース１３を検索する。
【００４０】
サービス制御部１０は、検索の結果、該当する処理後コンテンツ・キャッシュが現在制御対象のエッジ装置Ｅ１に保持されていることが分かった場合、コンテンツ処理サーバ装置ＣＡでコンテンツ処理を行わず、このエッジ装置Ｅ１に対して当該処理後コンテンツ・キャッシュを使用することを命令する。
【００４１】
これにより、エッジ装置Ｅ１は指定された処理後コンテンツ・キャッシュをクライアント装置Ｃに送信する。
【００４２】
また、サービス制御部１０は、クライアント装置Ｃから要求された処理前コンテンツに対して適用すべきコンテンツ処理ルールを決定した後、クライアント装置Ｃから要求された処理前コンテンツの識別子、及びこの処理前コンテンツに適用されるべきコンテンツ処理ルールをキー情報として、データベース部１１のキャッシュ管理データベース１３を検索する。
【００４３】
サービス制御部１０は、検索の結果、該当する処理後コンテンツ・キャッシュが現在制御対象となっていないエッジ装置に保持されていることが分かった場合、コンテンツ処理サーバ装置ＣＡでコンテンツ処理を行わず、現在制御対象となっているエッジ装置Ｅ１に対して、このキャッシュを保持している他のエッジ装置内の処理後コンテンツ・サーバ部２６からその処理後コンテンツ・キャッシュを取得するように命令する。
【００４４】
これにより、制御対象となっているエッジ装置Ｅ１は、取得した処理後コンテンツをクライアント装置Ｃに転送する。
【００４５】
また、サービス制御部１０は、コンテンツ処理サーバ装置ＣＡにおいて処理後コンテン
ツが生成されたとき、及び他エッジ装置から処理後コンテンツを取得したとき、その処理後コンテンツを制御対象のエッジ装置Ｅ１内の処理後コンテンツ・キャッシュ部２３にキャッシュするか否かを選択する。サービス制御部１０は、キャッシュする際には、キャッシュ管理データベース１３に処理後コンテンツに関する情報を登録する。
【００４６】
また、サービス制御部１０は、コンテンツ・サーバ装置ＣＳで保持される処理前コンテンツが更新されたことを検出すると、更新前のコンテンツに基づいて生成された処理後コンテンツをキャッシュとして保持するエッジ装置内の処理後コンテンツ・サーバ部２６に依頼する。
【００４７】
これにより、エッジ装置内の処理後コンテンツ・サーバ部２６は、この処理後コンテンツを処理後コンテンツ・キャッシュ部２３から削除し、同時にキャッシュ管理データベース１３から削除対象のコンテンツに関する登録情報を削除する。
【００４８】
さらに、サービス制御部１０は、コンテンツ・サーバ装置ＣＳで保持されている処理前コンテンツが更新されたことを検出すると、あるエッジ装置内の処理後コンテンツ・クライアント部２５に対して更新されたコンテンツの取得要求を発生させ、所定のコンテンツ処理ルールをコンテンツに適用するように制御する。
【００４９】
これにより、エッジ装置内の処理後コンテンツ・クライアント部２５は、このコンテンツ処理ルールが適用された処理後コンテンツを取得すると、処理後コンテンツ・キャッシュ部２３に登録する。
【００５０】
〈サービス制御装置ＳＣの加入者管理データベース１２〉
図３に示すように、サービス制御装置ＳＣ内の加入者管理データベース１２は、クライアント装置Ｃのアドレス（クライアント・アドレス）、加入者が契約しているサービス種別、及び各サービスのサービス・レベル（定義されていれば）の各情報を保持している。
【００５１】
この例では、クライアント・アドレス「Ｃ」を持つ加入者が、２つのサービスに加入している様子を示している。第１のサービスは、アクセス・フィルタ・サービス（サービス種別「ａｃｃｅｓｓ＿ｆｉｌｔｅｒ」で認識）であり、このサービス・レベルは一般サービス（サービス・レベル「ｇｅｎｅｒｉｃ」で認識）である。第２のサービスは、英語などの外国語から日本語への翻訳サービス（サービス種別「＊＿ｔｏ＿ｊａ」で認識）であり、サービス・レベルとして高品質辞書（サービス・レベル「ｈｉｇｈ」で認識）を用いた翻訳サービスである。なお、必要に応じてその他の情報が加入者管理データベース１２に保持されていてもよい。
【００５２】
ここで、クライアント・アドレスについて詳細に説明する。クライアント・アドレスはサービス加入時に個々のユーザに割り当てられる識別子であり、このクライアント・アドレスに基づいてユーザを一意に識別することが可能となる。
【００５３】
クライアント・アドレスは基本的にはサービス契約の終了まで変更されない。ただし、サービス契約情報などのクライアント・アドレスに付随する情報及びクライアント・アドレスに基づいて管理されている全ての情報が、新しいクライアント・アドレスに基づいて更新されるという条件下では、クライアント・アドレスの変更は可能である。サービス制御装置ＳＣはこのクライアント・アドレスに基づいて個々のユーザを管理する。
【００５４】
ここでは、ユーザが例えばＷｅｂクライアントとしてのクライアント装置Ｃを用いてＩＰネットワークＮＷ（厳密には、エッジ装置Ｅ１）にアクセスする際に、ＩＰネットワークＮＷからクライアント・アドレスとは異なる体系を持つアドレス（例えば、ＩＰアドレ
ス）がクライアント装置Ｃに対して動的に割り当てられる。この場合、クライアント装置Ｃは（例えば、ＩＰネットワークＮＷにアクセスする際にユーザから入力された、あるいはクライアント装置Ｃに事前に設定されていた）クライアント・アドレスをエッジ装置Ｅ１に通知し、その応答としてＩＰアドレスを取得する。
【００５５】
エッジ装置Ｅ１は、ユーザから最初のネットワーク・アクセス要求が発生したときに、クライアント装置Ｃから通知されたクライアント・アドレスに対してＩＰアドレスを割り当て、両アドレスの対応関係をアドレス対応テーブル（図示省略）に登録する。また、エッジ装置Ｅ１はコンテンツ処理サービスの起動トリガ条件とＩＰアドレスとの対応関係も保持する。
【００５６】
クライアント装置Ｃは、コンテンツ取得要求メッセージ（例えば、設定されたＴＣＰ（Transmission Control Protocol）コネクションを通して転送されるＨＴＴＰ（Hyper Text Transfer Protocol）リクエスト・メッセージ）を送信するにあたって、取得したＩＰアドレスを送信元アドレスに設定してＩＰネットワークＮＷに送信する。
【００５７】
エッジ装置Ｅ１は、クライアント装置Ｃから送信されたコンテンツ取得要求メッセージ、あるいはこのコンテンツ取得要求メッセージの応答としてコンテンツ・サーバ装置ＣＳから送信されたコンテンツ取得応答メッセージ（例えば、設定されたＴＣＰコネクションを通して転送されるＨＴＴＰレスポンス・メッセージ）に設定されているＩＰアドレスに基づいて、コンテンツ処理サービスの起動トリガの判定を行う。
【００５８】
コンテンツ取得要求メッセージではその送信元アドレスに、かつコンテンツ取得応答メッセージではその宛先アドレスに、クライアント端末Ｃに割り当てられたＩＰアドレスが設定される。
【００５９】
なお、エッジ装置Ｅ１がコンテンツ・サーバ装置ＣＳにＴＣＰコネクションを設定する際に、クライアント装置Ｃに対応させてエッジ装置Ｅ１が付与したＩＰアドレス及びポート番号を用いるようにしてもよい。このとき、コンテンツ取得要求メッセージではその送信元アドレスに、かつコンテンツ取得応答メッセージではその宛先アドレスに、クライアント端末Ｃに対応させてエッジ装置Ｅ１が付与した上記ＩＰアドレス及びポート番号が付与される。
【００６０】
エッジ装置Ｅ１はクライアント装置ＣのＩＰアドレスとそれに対応して付与したＩＰアドレス及びポート番号のＩＰアドレス対応テーブル（図示省略）を用いて互いのアドレスの関係を保持し、これによってクライアント装置Ｃに対するトリガの判定を行う。
【００６１】
これは、２つの異なるＴＣＰコネクションがクライアント装置Ｃとエッジ装置Ｅ１間、及びエッジ装置Ｅ１とコンテンツ・サーバ装置ＣＳ間で設定され、エッジ装置Ｅ１がエッジ装置Ｅ１とコンテンツ・サーバ装置ＣＳとの間にＴＣＰコネクションを設定する場合に、エッジ装置Ｅ１自らが持つ（自らに使用することが許可された）ＩＰアドレス及びポート番号を送信元アドレスとして用いるケースを想定している。
【００６２】
エッジ装置Ｅ１は、あるＩＰアドレスに関してコンテンツ処理サービスの起動トリガを検出すると、上記ＩＰアドレス対応テーブルを参照してＩＰアドレスに対応するクライアント・アドレスを検索する。その後、エッジ装置Ｅ１は、トリガを検出したことなどをサービス制御装置ＳＣに通知する際には、クライアント・アドレスを用いて通知する。
【００６３】
上述した手法は、サービス制御装置ＳＣに対してＩＰアドレスを意識させず、エッジ装置Ｅ１とサービス制御装置ＳＣとの間では、ユーザの識別をクライアント・アドレスのみ
に基づいて行う場合である。つまり、サービス制御装置ＳＣはクライアント・アドレスだけを知っていればよい手法である。
【００６４】
なお、クライアント装置Ｃに対してＩＰアドレスを割り当てる際に、割り当てたＩＰアドレスとクライアント・アドレスとの対応関係をサービス制御装置ＳＣに通知し、エッジ装置Ｅ１とサービス制御装置ＳＣとの間でこれ以降の通信を行うにあたっては、ユーザの識別をＩＰアドレスのみに基づいて行う手法や、両方のアドレス体系を併用するような手法も適用可能である。
【００６５】
また、上記では、エッジ装置Ｅ１がＩＰアドレスを割り当てる機能（ＩＰアドレス割当機能）を持つようにしているが、エッジ装置Ｅ１がクライアント・アドレスとこのクライアント・アドレスに対して割り当てられたＩＰアドレスに関するアドレス対応テーブルとを生成可能にするならば、ＩＰアドレス割当機能はエッジ装置Ｅ１以外の特別配置の装置（例えば、ＩＰアドレス割当サーバ装置）が持ってもよい。
【００６６】
なお、あるユーザが常に自己専用のクライアント装置Ｃを使用し、かつ他の場所にこのクライアント装置Ｃを移動しない場合には、ネットワーク・アクセス・サービス加入時に固定的なＩＰアドレスを割り当て、この固定割り当てＩＰアドレスがそのままクライアント・アドレスとして用いられてもよい。ＩＰｖ４ではＩＰアドレス空間の制限により、このような前提を置くことは不可能と思慮されるが、プライベート・アドレスを自由に用いることができるようなイントラネットでは可能である。
【００６７】
これによると、ＩＰネットワークＮＷ（厳密には、エッジ装置Ｅ１）には、ユーザがＩＰネットワークＮＷにアクセスする度に動的にＩＰアドレスを割り当てる機能、及びアドレス対応テーブルを管理する機能を不要にすることができる。
【００６８】
〈サービス制御装置ＳＣのキャッシュ管理データベース１３〉
図４に示すように、サービス制御装置ＳＣ内のキャッシュ管理データベース１３は、処理前コンテンツ名（コンテンツ・サーバ装置ＣＳに保持されているコンテンツ原本の名前）、処理前コンテンツに対して適用されたコンテンツ処理ルール、処理後コンテンツ名、及び処理後コンテンツがキャッシュとして保持されているエッジ装置アドレスの各情報を保持している。
【００６９】
この例では、処理前コンテンツ「ｈｔｔｐ：／／ｗｗｗ．ｘｙｚ．ｃｏｍ／ｔｏｐ．ｈｔｍｌ」に対して高品質辞書を用いた英日翻訳サービス（「ｅｎ＿ｔｏ＿ｊａ  ＆  ｈｉｇｈ」というコンテンツ処理ルールで識別される）を適用することにより、処理後コンテンツ「ｈｔｔｐ：／／ｗｗｗ．ｘｙｚ．ｃｏｍ／ｔｏｐ／ｊａ．ｈｔｍｌ」を生成し、この処理後コンテンツがアドレス「Ｅ１」を持つエッジ装置Ｅ１にキャッシュされていることを示している。なお、これらの情報に加えて、処理前コンテンツの有効期限及び更新日時などの情報をキャッシュ管理データベース１３に保存することにより、処理前コンテンツ及び処理後コンテンツが古くなったことを検出することが可能となる。
【００７０】
また、サービス制御装置ＳＣを所有するコンテンツ処理サービス事業者が複数存在する場合、コンテンツ処理サービス事業者が異なれば、処理前コンテンツが同じであっても処理後コンテンツが異なるケースも起こりえるため、これらの情報に加えてコンテンツ処理サービス事業者名情報が保持されたり、あるいはコンテンツ処理サービス事業者毎にキャッシュ管理データベース１３が分割管理されてもよい。また、必要に応じてその他の情報がキャッシュ管理データベース１３に保持されてもよい。
【００７１】
〈サービス制御装置ＳＣの課金データベース１４〉
図５に示すように、サービス制御装置ＳＣ内の課金データベース１４は、コンテンツ処理サービスを受けたクライアント装置Ｃのアドレス、クライアント装置Ｃに提供されたコンテンツ処理サービス種別名、コンテンツ処理サービス・レベル、及びサービス提供時刻の各情報を保持している。
【００７２】
この例では、クライアント・アドレス「Ｃ」を持つユーザに対して、サービス種別「ａｃｃｅｓｓ＿ｆｉｌｔｅｒ」（アクセス・フィルタ・サービス）及びサービス・レベル「ｇｅｎｅｒｉｃ」（一般）が、ある時刻「ＹＹＹＹ：ＭＭ：ＤＤ：ＨＨ：ＭＭ：ＳＳ」（年・月・日・時・分・秒）に提供されたことを示している。なお、課金データベース１４はコンテンツ処理サービス事業者毎に分割管理されてもよい。また、必要に応じてその他の情報が課金データベース１４に保持されてもよい。
【００７３】
〔コンテンツ処理サービス制御システムの動作〕
次に、上述したコンテンツ処理サービス制御システム１の動作例について、図１から図２７を併せ参照して説明する。
【００７４】
以下に述べる各動作例では、Ｗｅｂコンテンツに対するコンテンツ処理を行うこととする。各動作説明においては、特に限定を要する場合を除いて、ＩＰネットワークＮＷの介在を省略する。また、各動作例の記述において、小括弧付き数字は処理手順のステップ番号を示す。
【００７５】
〈クライアント装置Ｃ〉
クライアント装置Ｃは所望のコンテンツを取得する場合、図６に示すように、次のステップ（１）〜（４）の処理を実行する。
【００７６】
（１）開始、
（２）エッジ装置Ｅ１のコンテンツ転送部２１にコンテンツ取得要求メッセージ（以下、単にコンテンツ要求と記載することもある）を送信する、
（３）エッジ装置Ｅ１のコンテンツ転送部２１からコンテンツ取得応答メッセージ（以下、単にコンテンツ応答と記載することもある）を受信する、
（４）終了。
【００７７】
〈コンテンツ・サーバ装置ＣＳ〉
コンテンツ・サーバ装置ＣＳは要求されたコンテンツを応答（返送）する場合、図７に示すように、次のステップ（１）〜（４）の処理を実行する。
（１）開始、
（２）エッジ装置Ｅ１のコンテンツ転送部２１からコンテンツ取得要求メッセージを受信する、
（３）エッジ装置Ｅ１のコンテンツ転送部２１に要求されたコンテンツをコンテンツ取得応答メッセージとして送信する、
（４）終了。
【００７８】
なお、厳密には、コンテンツ・サーバ装置ＣＳはエッジ装置Ｅ２を介してメッセージなどの情報を送受信するが、各動作説明においては、特に限定を要する場合を除いて、エッジ装置Ｅ２の介在を省略する。
【００７９】
〈エッジ装置Ｅ１のコンテンツ転送部２１〉
エッジ装置Ｅ１のコンテンツ転送部２１は、同一エッジ装置内の他の機能部、あるいは他装置（クライアント装置Ｃ、エッジ装置Ｅ２、コンテンツ・サーバ装置ＣＳ、コンテンツ処理サーバ装置ＣＡ）から情報を受信した場合、図８に示すように、次のステップ（１
）〜（２０）の処理を実行する。
【００８０】
（１）開始、
（２）コンテンツ・サーバ装置ＣＳ、あるいはエッジ装置Ｅ１内の処理後コンテンツ・サーバ部２６からコンテンツ応答を受信した場合、（１０）の処理実行、
（３）プロキシ部２４からコンテンツ応答を受信した場合、（１２）の処理を実行する。
【００８１】
（４）処理後コンテンツ・クライアント部２５から処理後コンテンツ要求を受信した場合、（１３）の処理実行、
（５）処理後コンテンツ・サーバ部２６から処理後コンテンツ応答を受信した場合、（１４）の処理を実行する。
【００８２】
（６）プロキシ部２４からコンテンツ要求を受信した場合、（１５）の処理実行、
（７）クライアント装置Ｃ、あるいは処理後コンテンツ・クライアント部２５からコンテンツ要求を受信した場合、（１６）の処理実行、
（８）プロキシ部２４からコンテンツ処理要求を受信した場合、（１８）の処理を実行する。
【００８３】
（９）コンテンツ処理サーバ装置ＣＡからコンテンツ処理応答を受信した場合、（１９）の処理実行、
（１０）受信したコンテンツ応答をプロキシ部２４に送信する必要があるか否かを判定する。Ｙｅｓならば（１１）、Ｎｏならば（１２）の処理を実行する。
【００８４】
（１１）プロキシ部２４にコンテンツ応答を送信して、（２０）の処理実行、
（１２）クライアント装置Ｃあるいはエッジ装置Ｅ１内の処理後コンテンツ・クライアント部２５にコンテンツ応答を送信して、（２０）の処理実行、
（１３）処理後コンテンツ・サーバ部２６に処理後コンテンツ要求を送信して、（２０）の処理を実行する。
【００８５】
（１４）処理後コンテンツ・クライアント部２５に処理後コンテンツ応答を送信して、（２０）の処理実行、
（１５）コンテンツ要求をコンテンツ・サーバ装置ＣＳあるいは処理後コンテンツ・サーバ部２６に送信して、（２０）の処理実行、
（１６）受信したコンテンツ要求をプロキシ部２４に送信する必要があるか否かを判定する。Ｙｅｓならば（１７）、Ｎｏならば（１５）の処理を実行する。
【００８６】
（１７）プロキシ部２４にコンテンツ要求を送信して、（２０）の処理実行、
（１８）コンテンツ処理サーバ装置ＣＡにコンテンツ処理要求を送信して、（２０）の処理実行、
（１９）プロキシ部２４にコンテンツ処理応答を送信して、（２０）の処理実行、
（２０）終了。
【００８７】
〈エッジ装置Ｅ１のプロキシ部２４（トリガ分析処理）〉
エッジ装置Ｅ１のプロキシ部２４は、コンテンツ転送部２１から受信した情報に基づいて、コンテンツ処理サービス起動トリガを分析する場合、図９に示すように、次のステップ（１）〜（３１）の処理を実行する。
【００８８】
（１）開始、
（２）コンテンツ転送部２４からコンテンツ処理応答を受信した場合、（６）の処理実
行、
（３）コンテンツ転送部２４からコンテンツ要求を受信した場合、（１２）の処理実行、
（４）コンテンツ転送部２４から処理後コンテンツ応答を受信した場合、（２１）の処理実行、
（５）コンテンツ転送部２４からコンテンツ応答を受信した場合、（２５）の処理を実行する。
【００８９】
（６）以前に行われたサービス制御命令に基づいて、受信したコンテンツをキャッシュするか否かを判定する。Ｙｅｓならば（７）、Ｎｏならば（９）の処理実行、
（７）処理後コンテンツ・キャッシュ部２３にキャッシュ登録要求を送信する、
（８）応答を受信する、
（９）コンテンツ処理が適用されたのはコンテンツ要求、あるいはコンテンツ応答のいずれであるかを判定する。コンテンツ要求ならば（１０）、コンテンツ応答ならば（１１）の処理実行、
（１０）コンテンツ要求を生成して、（１２）の処理を実行する。
【００９０】
（１１）コンテンツ応答を生成して、（２８）の処理実行、
（１２）コンテンツ要求に対するコンテンツ処理を行うか否かの条件（要求トリガ条件）を分析する、
（１３）要求トリガ条件が満足されたか否かを判定する。Ｙｅｓならば（１４）、Ｎｏならば（１６）の処理実行、
（１４）インタワーク部２０にトリガ通知を送信する、
（１５）サービス制御命令待ち状態に遷移する。
【００９１】
（１６）要求の対象となっているコンテンツがキャッシュされているか否かを調べるために、処理前コンテンツ・キャッシュ部２２にキャッシュ検索要求を送信する、
（１７）処理前コンテンツ・キャッシュ部２２から応答を受信する、
（１８）処理前コンテンツがキャッシュされていたか否かを判定する。Ｙｅｓならば（２０）、Ｎｏならば（１９）の処理実行、
（１９）コンテンツ転送部２１にコンテンツ要求を送信して、（３１）の処理実行、
（２０）キャッシュされていた処理前コンテンツを用いてコンテンツ応答を生成して、（２８）の処理を実行する。
【００９２】
（２１）以前に行われたサービス制御命令に基づいて、受信した処理後コンテンツをキャッシュするか否かを判定する。Ｙｅｓならば（２２）、Ｎｏならば（２４）の処理実行、
（２２）処理後コンテンツ・キャッシュ部２３にキャッシュ登録要求を送信する、
（２３）処理後コンテンツ・キャッシュ部２３からキャッシュ登録応答を受信する、
（２４）コンテンツ応答を生成して、（２８）の処理実行、
（２５）受信した処理前コンテンツをキャッシュするか否かを判定する。Ｙｅｓならば（２６）、Ｎｏならば（２８）の処理を実行する。
【００９３】
（２６）処理前コンテンツ・キャッシュ部２２にキャッシュ登録要求を送信する、
（２７）処理前コンテンツ・キャッシュ部２２からキャッシュ登録応答を受信する、
（２８）コンテンツ応答に対するコンテンツ処理を行うか否かの条件（応答トリガ条件）を分析する、
（２９）応答トリガ条件が満足されたか否かを判定する。Ｙｅｓならば（１４）、Ｎｏならば（３０）の処理実行、
（３０）コンテンツ転送部２１にコンテンツ応答を送信する、
（３１）終了。
【００９４】
〈エッジ装置Ｅ１のプロキシ部２４（サービス制御命令受信処理）〉
エッジ装置Ｅ１のプロキシ部２４は、インタワーク部２０を介してサービス制御装置ＳＣからのサービス制御命令を受信した場合、図１０に示すように、次のステップ（１）〜（２１）の処理を実行する。
【００９５】
（１）サービス制御命令待ち状態、
（２）インタワーク部２０からサービス制御命令を受信する、
（３）サービス制御命令を分析する、
（４）サービス制御命令はコンテンツ処理の実行を要求しているか否かを判定する。Ｙｅｓならば（１９）、Ｎｏならば（５）の処理実行、
（５）サービス制御命令は自エッジ装置Ｅ１が保持している処理後コンテンツ・キャッシュの使用を要求しているか否かを判定する。Ｙｅｓならば（６）、Ｎｏならば（１４）の処理を実行する。
【００９６】
（６）処理後コンテンツ・キャッシュ部２３にキャッシュ検索要求を送信する、
（７）処理後コンテンツ・キャッシュ部２３からキャッシュ検索応答を受信する、
（８）キャッシュされていた処理後コンテンツ・キャッシュを用いてコンテンツ応答を生成する、
（９）応答トリガ条件を分析する、
（１０）応答トリガ条件が満足されたか否かを判定する。Ｙｅｓならば（１１）、Ｎｏならば（１３）の処理を実行する。
【００９７】
（１１）インタワーク部２０にトリガ通知を送信する、
（１２）サービス制御命令待ち状態に遷移する、
（１３）コンテンツ転送部２１にコンテンツ応答を送信して、（２１）の処理実行、
（１４）サービス制御命令はトリガ条件の設定要求であるか否かを判定する。Ｙｅｓならば（１５）、Ｎｏならば（１７）の処理実行、
（１５）トリガ条件を設定する。
【００９８】
（１６）インタワーク部２０にトリガ条件設定応答を送信して、（２１）の処理実行、
（１７）サービス制御命令により他エッジ装置内の処理後コンテンツ・サーバ部２６で保持されている処理後コンテンツを取得することが要求されたため、コンテンツ要求をこのエッジ装置内の処理後コンテンツ・サーバ部２６に転送するための処理後コンテンツ要求を生成する、
（１８）コンテンツ転送部２１に処理後コンテンツ要求を送信する、
（１９）コンテンツ処理サーバ装置ＣＡに送信するためのコンテンツ処理要求を生成する、
（２０）コンテンツ転送部２１にコンテンツ処理要求を送信する、
（２１）終了。
【００９９】
〈エッジ装置Ｅ１のインタワーク部２０（サービス制御装置ＳＣへの通知処理）〉
エッジ装置Ｅ１のインタワーク部２０は、プロキシ部２４からサービス制御装置ＳＣとのインタワーク要求を受信した場合、図１１に示すように、次のステップ（１）〜（１４）の処理を実行する。
【０１００】
（１）開始、
（２）プロキシ部２４からトリガ通知を受信した場合、（６）の処理実行、
（３）処理後コンテンツ・クライアント部２５から処理後コンテンツ取得応答を受信し
た場合、（８）の処理実行、
（４）処理後コンテンツ・クライアント部２５から処理後コンテンツ生成応答を受信した場合、（１０）の処理実行、
（５）処理後コンテンツ・サーバ部２６から処理後コンテンツ削除応答を受信した場合、（１２）の処理を実行する。
【０１０１】
（６）サービス制御装置ＳＣのサービス制御部１０に送信するためのメッセージを生成する、
（７）サービス制御部１０にトリガ通知を送信して、（１４）の処理実行、
（８）サービス制御部１０に送信するためのメッセージを生成する、
（９）サービス制御部１０に処理後コンテンツ取得応答を送信して、（１４）の処理実行、
（１０）サービス制御部１０に送信するためのメッセージを生成する。
【０１０２】
（１１）サービス制御部１０に処理後コンテンツ生成応答を送信する、
（１２）サービス制御部１０に送信するためのメッセージを生成する、
（１３）サービス制御部１０に処理後コンテンツ削除応答を送信する、
（１４）終了。
【０１０３】
〈エッジ装置Ｅ１のインタワーク部２０（サービス制御命令受信処理）〉
エッジ装置Ｅ１のインタワーク部１０は、サービス制御装置ＳＣのサービス制御部１０からサービス制御命令を受信した場合、図１２に示すように、次のステップ（１）〜（１７）の処理を実行する。
【０１０４】
（１）開始、
（２）サービス制御部１０からサービス制御命令を受信した場合、（６）の処理実行、
（３）サービス制御部１０から処理後コンテンツ取得要求を受信した場合、（１１）の処理実行、
（４）サービス制御部１０から処理後コンテンツ生成要求を受信した場合、（１３）の処理実行、
（５）サービス制御部１０から処理後コンテンツ削除要求を受信した場合、（１５）の処理を実行する。
【０１０５】
（６）受信したサービス制御命令の送信先を判定する。送信先がコンテンツ処理サーバ装置ＣＡならば（７）の処理実行、プロキシ部２４ならば（９）の処理実行、
（７）コンテンツ処理サーバ装置ＣＡに送信するメッセージを生成する、
（８）コンテンツ処理サーバ装置ＣＡにサービス制御命令を送信して、（１７）の処理実行、
（９）プロキシ部２４に送信するメッセージを生成する、
（１０）プロキシ部２４にサービス制御命令を送信して、（１７）の処理を実行する。
【０１０６】
（１１）処理後コンテンツ・クライアント部２５に送信するメッセージを生成する、
（１２）処理後コンテンツ・クライアント部２５に処理後コンテンツ取得要求を送信して、（１７）の処理実行、
（１３）処理後コンテンツ・クライアント部２５に送信するメッセージを生成する、
（１４）処理後コンテンツ・クライアント部２５に処理後コンテンツ生成要求を送信する、
（１５）処理後コンテンツ・サーバ部２６に送信するメッセージを生成する、
（１６）処理後コンテンツ・サーバ部２６に処理後コンテンツ削除要求を送信する、
（１７）終了。
【０１０７】
〈サービス制御装置ＳＣのトリガ設定処理〉
サービス制御装置ＳＣは、エッジ装置Ｅ１に対してコンテンツ処理のためのトリガ条件を設定する場合、図１３に示すように、次のステップ（１）〜（６）の処理を実行する。
【０１０８】
（１）開始、
（２）トリガ条件を決定する。トリガ条件として設定する項目には、クライアント装置Ｃのアドレス、コンテンツ要求及びコンテンツ応答のいずれに対してコンテンツ処理を適用するのか、コンテンツの属性に関する条件（例えば、コンテンツ記述言語が日本語以外）、トリガ条件設定先エッジ装置のアドレスがある。なお、トリガ条件設定先エッジ装置はクライアント装置Ｃを収容するエッジ装置Ｅ１となる。
【０１０９】
（３）インタワーク部２０に送信するメッセージを生成する、
（４）インタワーク部２０に対してトリガ条件設定要求を送信する。なお、このトリガ条件設定要求はサービス制御命令としてインタワーク部２０を介してプロキシ部２４に転送される、
（５）インタワーク部２０からトリガ条件設定応答を受信する、
（６）終了。
【０１１０】
〈サービス制御装置ＳＣのトリガ通知受信処理〉
サービス制御装置ＳＣは、エッジ装置Ｅ１からサービス起動トリガを受信した場合、図１４に示すように、次のステップ（１）〜（２４）の処理を実行する。なお、トリガ条件の設定は上述したトリガ設定処理により完了しているものとする（以下の動作例においては、特に明記しない限りトリガ条件の設定は完了しているものとする）。
【０１１１】
（１）開始、
（２）インタワーク部２０からトリガ通知を受信する、
（３）トリガ通知を分析する、
（４）加入者管理データベース１２に加入者情報要求を送信する、
（５）加入者管理データベース１２から加入者情報応答を受信する。
【０１１２】
（６）トリガ通知情報及び加入者情報に基づいて、コンテンツ処理ルールを決定する、
（７）コンテンツ要求及びコンテンツ応答のいずれに対して処理を行っているかを判定する。コンテンツ要求ならば（２２）、コンテンツ応答ならば（８）の処理実行、
（８）キャッシュ管理データベース１３に処理後コンテンツ検索要求を送信する、
（９）キャッシュ管理データベース１３から処理後コンテンツ検索応答を受信する。検索応答の結果としては、処理後コンテンツ・キャッシュの有無と、キャッシュが存在する場合には、処理後コンテンツＩＤと、このキャッシュを管理するサーバＩＤ（サーバＩＤのリスト）と、キャッシュの有効期限や処理後コンテンツ作成のベースとなった処理前コンテンツの更新日時などとが得られる。
【０１１３】
（１０）キャッシュを使用するか否かを判定する。この判定の基準として、現在制御対象としているエッジ装置に処理後コンテンツ・キャッシュが存在するか否か、他のエッジ装置に処理後コンテンツ・キャッシュが存在しても制御対象エッジ装置に新たな処理後コンテンツ・キャッシュを生成するか否か、既存の処理後コンテンツ・キャッシュは古くて使用不可であるか否か、処理後コンテンツ・キャッシュを保持しているエッジ装置に障害が発生しているか否か、などが考えられるが、この判定を行うかの具体的な基準については示さない。なお、処理後コンテンツ・キャッシュが存在しない場合には、キャッシュは使用不可と判断される。Ｙｅｓならば（１１）、Ｎｏならば（１６）の処理を実行する。
【０１１４】
（１１）処理後コンテンツをキャッシュとして保持している処理後コンテンツ・サーバ部２６を選択する。なお、該当する処理後コンテンツ・サーバ部２６が複数存在する場合、そのうちの１つを選択する。このときの選択基準として、現在制御対象としているエッジ装置からの距離、処理後コンテンツ・サーバ部２６の負荷状況などを用いることが考えられる。
【０１１５】
（１２）既存の処理後コンテンツ・キャッシュを使用するためのサービス制御命令を生成する。このとき、制御対象エッジ装置内に処理後コンテンツがキャッシュされていないとき、このエッジ装置内に処理後コンテンツをキャッシュするか否かも指定する。
【０１１６】
（１３）インタワーク部２０にサービス制御命令を送信する。サービス制御命令はインタワーク部２０を介してプロキシ部２４に送信される、
（１４）処理後コンテンツ・キャッシュの使用にあたって課金を行うとき、課金データベース１４に課金データ生成要求を送信する、
（１５）課金データベース１４から課金データ生成応答を受信した場合、（２４）の処理を実行する。
【０１１７】
（１６）コンテンツ処理を行う際に使用するコンテンツ処理サーバ装置ＣＡを選択する。コンテンツ処理サーバ装置ＣＡが複数存在する場合には、そのうちの１つを選択する。このときの選択基準として、現在制御対象としているエッジ装置からの距離、コンテンツ処理サーバ装置ＣＡの負荷状況などを用いることが考えられる。
【０１１８】
（１７）コンテンツ処理の結果から得られた処理後コンテンツを現在制御対象としているエッジ装置Ｅ１内の処理後コンテンツ・キャッシュ部２３でキャッシュするか否かを決定する。
【０１１９】
（１８）コンテンツ処理実行のためのサービス制御命令を生成する。このとき、（１７）で決定された処理後コンテンツのキャッシュの可否を指定する、
（１９）（１７）においてキャッシュすることと判断されたか否かを判定する。Ｙｅｓならば（２０）、Ｎｏならば（２２）の処理実行、
（２０）キャッシュ管理データベース１３にキャッシュ登録要求を送信する。
【０１２０】
（２１）キャッシュ管理データベース１３からキャッシュ登録応答を受信する、
（２２）インタワーク部２０にサービス制御命令を送信する。このサービス制御命令はインタワーク部２０を介してコンテンツ処理サーバ装置ＣＡに送信される、
（２３）インタワーク部２０にサービス制御命令を送信する。このサービス制御命令はインタワーク部２０を介してプロキシ部２４に送信される。（１４）の処理実行、
（２４）終了。
【０１２１】
〈サービス制御装置ＳＣの処理後コンテンツ取得処理〉
サービス制御装置ＳＣは、あるエッジ装置に保持されている処理後コンテンツを別のエッジ装置に転送する場合、図１５に示すように、次のステップ（１）〜（１０）の処理を実行する。
【０１２２】
（１）開始、
（２）取得対象とする処理後コンテンツを決定する、
（３）必要に応じて、キャッシュ管理データベース１３にキャッシュ検索要求を送信する、
（４）キャッシュ管理データベース１３からキャッシュ検索応答を受信する、
（５）インタワーク部２０に送信するメッセージを生成する。
【０１２３】
（６）インタワーク部２０に処理後コンテンツ取得要求を送信する、
（７）インタワーク部２０から処理後コンテンツ取得応答を受信する、
（８）キャッシュ管理データベース１３にキャッシュ登録要求を送信する、
（９）キャッシュ管理データベース１３からキャッシュ登録応答を受信する、
（１０）終了。
【０１２４】
〈サービス制御装置ＳＣの処理後コンテンツ削除処理〉
サービス制御装置ＳＣは、エッジ装置Ｅ１で保持されている処理後コンテンツの削除を行う場合、図１６に示すように、次のステップ（１）〜（１１）の処理を実行する。
【０１２５】
（１）開始、
（２）削除対象とする処理後コンテンツを決定する、
（３）必要に応じて、キャッシュ管理データベース１３にキャッシュ検索要求を送信する、
（４）キャッシュ管理データベース１３からキャッシュ検索応答を受信する、
（５）インタワーク部２０に送信するメッセージを生成する。
【０１２６】
（６）インタワーク部２０に処理後コンテンツ削除要求を送信する、
（７）インタワーク部２０から処理後コンテンツ削除応答を受信する、
（８）キャッシュ管理データベース１３にキャッシュ削除要求を送信する、
（９）キャッシュ管理データベース１３からキャッシュ削除応答を受信する、
（１０）削除対象のすべての処理後コンテンツを削除したか否かを判定する。Ｙｅｓならば（１１）、Ｎｏならば（５）の処理実行、
（１１）終了。
【０１２７】
〈サービス制御装置ＳＣの処理後コンテンツ生成処理〉
サービス制御装置ＳＣは、コンテンツ・サーバ装置ＣＳに保持された処理前コンテンツを用いてエッジ装置に新たに処理後コンテンツをキャッシュさせる場合、図１７に示すように、次のステップ（１）〜（７）の処理を実行する。
【０１２８】
（１）開始、
（２）取得対象の処理前コンテンツ、この処理前コンテンツを用いてどのようなコンテンツ処理を行うのか、処理後コンテンツに付与する名前、及びこの処理後コンテンツをキャッシュするエッジ装置を決定する。必要であれば、処理後コンテンツを生成するために必要なトリガの設定を行う。
【０１２９】
（３）インタワーク部２０に処理後コンテンツ生成要求を送信する。このとき、（２）で決定した処理前コンテンツ名、処理後コンテンツ名、及びエッジ装置を指定する。
【０１３０】
（４）インタワーク部２０から処理後コンテンツ生成応答を受信する。なお、サービス制御装置ＳＣは処理後コンテンツ生成応答を受信する前に、処理後コンテンツを生成するためにエッジ装置Ｅ１及びコンテンツ処理サーバ装置ＣＡの制御を行うが、この手順については、上述したトリガ受信処理と同様であるため、ここでは省略する。
【０１３１】
（５）キャッシュ管理データベース１３に生成した処理後コンテンツに対するキャッシュ登録要求を送信する、
（６）キャッシュ管理データベース１３からキャッシュ登録応答を受信する、
（７）終了。
【０１３２】
〈エッジ装置Ｅ１の処理後コンテンツ・クライアント部２５〉
エッジ装置Ｅ１の処理後コンテンツ・クライアント部２５は、他エッジ装置内の処理後コンテンツ・サーバ部２６から処理後コンテンツを取得する場合、またはコンテンツ・サーバ装置ＣＳからコンテンツを取得する過程でコンテンツ処理サーバ装置ＣＡにおいてコンテンツ処理が適用されることによって処理後コンテンツを取得する場合、図１８に示すように、次のステップ（１）〜（１４）の処理を実行する。
【０１３３】
（１）開始、
（２）インタワーク部２０から処理後コンテンツ取得要求を受信した場合、（４）の処理実行、
（３）インタワーク部２０から処理後コンテンツ生成要求を受信した場合、（９）の処理実行、
（４）処理後コンテンツ・サーバ部２６に処理後コンテンツ要求を送信する、
（５）処理後コンテンツ・サーバ部２６から処理後コンテンツ応答を受信する。
【０１３４】
（６）処理後コンテンツ・キャッシュ部２３にキャッシュ登録要求を送信する、
（７）処理後コンテンツ・キャッシュ部２３からキャッシュ登録応答を受信する、
（８）インタワーク部２０に処理後コンテンツ取得応答を送信する、
（９）コンテンツ転送部２１にコンテンツ要求を送信する、
（１０）コンテンツ転送部２１からコンテンツ応答を受信する。受信するコンテンツは、コンテンツ処理サーバ装置ＣＡによってコンテンツ処理が適用された処理後コンテンツである。
【０１３５】
（１１）処理後コンテンツ・キャッシュ部２３に取得した処理後コンテンツのキャッシュ登録要求を送信する、
（１２）処理後コンテンツ・キャッシュ部２３からキャッシュ登録応答を受信する、
（１３）インタワーク部２０に処理後コンテンツ生成応答を送信する、
（１４）終了。
【０１３６】
〈エッジ装置Ｅ１の処理後コンテンツ・サーバ部２６〉
エッジ装置Ｅ１の処理後コンテンツ・サーバ部２６は、他のエッジ装置内の処理後コンテンツ・クライアント部２５あるいはあるコンテンツ要求が処理後コンテンツ要求の形に変換されることによって発生した他のエッジ装置内のコンテンツ転送部２１からの要求に基づいてキャッシュされた処理後コンテンツを応答する場合、またはサービス制御装置ＳＣからの要求に基づいて自エッジ装置Ｅ１内にキャッシュされた処理後コンテンツを削除する場合、図１９に示すように、次のステップ（１）〜（１２）の処理を実行する。
【０１３７】
（１）開始、
（２）コンテンツ転送部２１あるいは処理後コンテンツ・クライアント部２５から処理後コンテンツ要求を受信した場合、（４）の処理実行、
（３）インタワーク部２０から処理後コンテンツ削除要求を受信した場合、（９）の処理実行、
（４）処理後コンテンツ要求を分析する。
【０１３８】
（５）処理後コンテンツ・キャッシュ部２３にキャッシュ検索要求を送信する、
（６）処理後コンテンツ・キャッシュ部２３からキャッシュ検索応答を受信する、
（７）要求元に送信するメッセージを生成する、
（８）送信元に処理後コンテンツ応答を送信して、（１２）の処理を実行する。
【０１３９】
（９）処理後コンテンツ・キャッシュ部２３にキャッシュ削除要求を送信する、
（１０）処理後コンテンツ・キャッシュ部２３からキャッシュ削除応答を受信する、
（１１）インタワーク部２０に処理後コンテンツ削除応答を送信する、
（１２）終了。
【０１４０】
〈コンテンツ処理サーバ装置ＣＡのコンテンツ処理〉
コンテンツ処理サーバ装置ＣＡは、コンテンツ処理を行う場合、図２０に示すように、次のステップ（１）〜（８）の処理を実行する。
【０１４１】
（１）開始、
（２）インタワーク部２０からサービス制御命令を受信する、
（３）コンテンツ処理に関する情報を保存して、（８）の処理実行、
（４）コンテンツ転送部２１からコンテンツ処理要求を受信する。
【０１４２】
（５）（３）で保存しておいたコンテンツ処理情報を取得する、
（６）コンテンツ処理情報に基づいてコンテンツ処理を実行する、
（７）コンテンツ転送部２１にコンテンツ処理応答を送信する、
（８）終了。
【０１４３】
〈コンテンツ処理サービスの第１の動作例：コンテンツ要求に対するコンテンツ処理〉
図２１はコンテンツ処理サービス制御システムＳＹＳにおけるコンテンツ処理サービスの動作例として、コンテンツ要求（取得要求）に対するコンテンツ処理時のシーケンスチャートを示す。
【０１４４】
ここでは、クライアント装置Ｃからコンテンツ・サーバ装置ＣＳへのコンテンツ要求に対してコンテンツ処理を行う例として、アクセス・フィルタ・サービスについて例示する。
【０１４５】
（１）サービス制御装置ＳＣがクライアント装置Ｃを収容しているエッジ装置（＃１）Ｅ１に対してトリガ条件を設定する。ここでは、送信元アドレスとしてアクセス・フィルタ・サービスに加入したクライアント装置Ｃのアドレス「Ｃ」、及び宛先ＴＣＰポート番号としてＨＴＴＰプロトコルを識別するための「８０」を条件として設定する。
【０１４６】
（２）エッジ装置Ｅ１は（１）で要求されたトリガ条件を設定したことを応答する。
【０１４７】
（３）クライアント装置Ｃがエッジ装置Ｅ１に対して、ＵＲＬ「ｈｔｔｐ：／／ｗｗｗ．ｘｙｚ．ｃｏｍ／ｔｏｐ．ｈｔｍｌ」で識別されるコンテンツの要求を送信する。
【０１４８】
（４）エッジ装置Ｅ１は受信したコンテンツ要求を分析する。エッジ装置Ｅ１は、トリガ条件が満たされたことを検出すると、それをサービス制御装置ＳＣに送信する。
【０１４９】
（５）サービス制御装置ＳＣは、クライアント装置Ｃの位置やコンテンツ処理サーバ装置ＣＡの負荷などを考慮して、このコンテンツ要求に対してアクセス・フィルタ・サービスを適用する最適なコンテンツ処理サーバ装置ＣＡを選択する。ここでは、アドレス「ＣＡ」を持つコンテンツ処理サーバ装置ＣＡが選択されたものとする。
【０１５０】
また、必要に応じて、詳細なフィルタ条件（未成年アクセス禁止サイトなど）を加入者管理データベース１２から取得する。その後、コンテンツ処理要求として、コンテンツ処理サーバ装置ＣＡのアドレス「ＣＡ」とコンテンツ処理ルールの情報（ここでは、一般アクセス・フィルタ）とをエッジ装置Ｅ１に送信する。
【０１５１】
なお、コンテンツ処理要求を受信したエッジ装置Ｅ１は、通知されたサービス制御装置ＳＣに対してコンテンツ処理要求を転送してもよいが、ここでは、（７）で送信されるコンテンツ処理対象となるコンテンツ要求にコンテンツ処理要求で通知されたコンテンツ処理ルール情報を相乗りさせて通知することとする（以下の全動作例において同様）。
【０１５２】
（６）サービス制御装置ＳＣは、アドレス「ＣＳ」を持つコンテンツ・サーバ装置ＣＳに対して接続を要求する。なお、このとき、アドレス「ＣＳ」を持つコンテンツ・サーバ装置ＣＳのミラー・サーバとしてアドレス「ＣＳ’」を持つコンテンツ・サーバ装置ＣＳが存在し、負荷分散のためにアドレス「ＣＳ’」を持つコンテンツ・サーバ装置ＣＳにコンテンツ要求を転送したい場合には、サービス制御装置ＳＣは接続先アドレスとして「ＣＳ’」を通知してもよい。
【０１５３】
（７）エッジ装置Ｅ１は、（５）で通知されたコンテンツ処理ルール（一般アクセス・フィルタ）をＵＲＬの後に埋め込んだコンテンツ要求を指定されたアドレス「ＣＡ」を持つコンテンツ処理サーバ装置ＣＡに送信する。
【０１５４】
ここでは、エッジ装置Ｅ１とコンテンツ処理サーバ装置ＣＡとをインタワークさせるためのプロトコルとして、ＩＣＡＰを適用する。このとき、エッジ装置Ｅ１がＩＣＡＰクライアント、かつコンテンツ処理サーバ装置ＣＡがＩＣＡＰサーバとなる。
【０１５５】
（８）コンテンツ処理サーバ装置ＣＡは、一般アクセス・フィルタ・サービスが要求されていることを認識すると、コンテンツ要求にアクセス・フィルタを適用する（このケースでは、アクセス・フィルタをパスしたものとする）。コンテンツ処理サーバ装置ＣＡはＵＲＬに埋め込まれたコンテンツ処理ルール情報を削除したコンテンツ要求をエッジ装置Ｅ１に送信する。
【０１５６】
（９）エッジ装置Ｅ１はコンテンツ処理サーバ装置ＣＡからコンテンツ処理結果として受信したコンテンツ要求をコンテンツ・サーバ装置ＣＳに送信する。
【０１５７】
（１０）コンテンツ・サーバ装置ＣＳは要求されたコンテンツをエッジ装置Ｅ１に応答する。
【０１５８】
（１１）エッジ装置Ｅ１は、受信したコンテンツ応答によって何らかのトリガ条件が満たされるか否かを判定する。ここでは、トリガ条件は満たされないことを想定している。エッジ装置Ｅ１は、トリガ条件が満たされないことを認識すると、コンテンツ応答をクライアント装置Ｃに送信する。
【０１５９】
〈コンテンツ処理サービスの第２の動作例：コンテンツ応答に対するコンテンツ処理（キャッシュ未使用）〉
図２２はコンテンツ処理サービス制御システムＳＹＳにおけるコンテンツ処理サービスの動作例として、コンテンツ応答に対するコンテンツ処理時（キャッシュ未使用時）のシーケンスチャートを示す。
【０１６０】
ここでは、クライアント装置Ｃからの要求に従って、コンテンツ・サーバ装置ＣＳから送信されたコンテンツ応答に対してコンテンツ処理を行う例として、英語コンテンツの日本語翻訳サービスについて例示する。
【０１６１】
（１）サービス制御装置ＳＣがクライアント装置Ｃを収容しているエッジ装置（＃１）Ｅ１に対してトリガ条件を設定する。ここでは、宛先アドレスとして英日翻訳サービスに加入したクライアント装置Ｃのアドレス「Ｃ」、送信元ＴＣＰポート番号としてＨＴＴＰ
プロトコルを識別するための「８０」、及びコンテンツの記述言語が日本語でないことを条件として設定する。
【０１６２】
（２）エッジ装置Ｅ１は、（１）で要求されたトリガ条件を設定したことを応答する。
【０１６３】
（３）クライアント装置Ｃがエッジ装置Ｅ１に対して、ＵＲＬ「ｈｔｔｐ：／／ｗｗｗ．ｘｙｚ．ｃｏｍ／ｔｏｐ．ｈｔｍｌ」で識別されるコンテンツの要求を送信する。
【０１６４】
（４）エッジ装置Ｅ１は、クライアント装置Ｃから送信されたコンテンツ要求を受信し、このコンテンツ要求によって何らかのトリガ条件が満たされるか否かを判定する。ここでは、トリガ条件は満たされないことを想定するが、コンテンツ処理サービスの第１の動作例に示したトリガが設定されている場合には、アクセス・フィルタ・サービスが起動される。
【０１６５】
エッジ装置Ｅ１は、トリガ条件が満たされないことを認識すると、コンテンツ要求をコンテンツ・サーバ装置ＣＳに送信する。ここで、エッジ装置Ｅ１は、宛先アドレスとしてのクライアント装置Ｃのアドレス「Ｃ」及び送信元ポート番号としての「８０」がトリガ条件として設定されている場合には、このコンテンツ要求をバッファ（図示省略）に取得する（以下の全動作例でも同様）。
【０１６６】
（５）コンテンツ・サーバ装置ＣＳは要求された英語コンテンツをエッジ装置Ｅ１に応答する。
【０１６７】
（６）エッジ装置Ｅ１は受信したコンテンツ応答を分析する。コンテンツの記述言語に関する条件は、ＨＴＴＰ  Ｃｏｎｔｅｎｔ−Ｌａｎｇｕａｇｅヘッダを調べることによって分析する。エッジ装置Ｅ１は、トリガ条件が満たされたことを検出すると、それをサービス制御装置ＳＣに送信する。このとき、（４）でバッファに格納しておいたコンテンツ要求も同時にサービス制御装置ＳＣに送信する。
【０１６８】
（７）サービス制御装置ＳＣは、加入者管理データベース１２を参照することにより、コンテンツ応答に対して英日翻訳を適用する最適なコンテンツ処理サーバ装置ＣＡを選択する。
【０１６９】
また、必要に応じて、詳細な翻訳オプション条件（例えば、翻訳に使用する辞書の種類やグレードなど）を加入者管理データベース１２から取得する。その後、コンテンツ処理要求として、コンテンツ処理サーバ装置ＣＡのアドレス「ＣＡ」とコンテンツ処理ルール情報（ここでは、英日翻訳、辞書グレードはｈｉｇｈ）をエッジ装置Ｅ１に送信する。
【０１７０】
（８）サービス制御装置ＳＣは、アドレス「Ｃ」を持つクライアント装置Ｃに対して接続を要求する。このとき、サービス制御装置ＳＣは英日翻訳された処理後コンテンツをエッジ装置Ｅ１にキャッシュするか否かについても同時に指定する。
【０１７１】
この例では、キャッシュするようにすると、サービス制御装置ＳＣは、処理前コンテンツのＵＲＬ「ｈｔｔｐ：／／ｗｗｗ．ｘｙｚ．ｃｏｍ／ｔｏｐ．ｈｔｍｌ」、コンテンツ処理ルール（英日翻訳、辞書グレード）、この処理前コンテンツにコンテンツ処理ルールを適用した結果から生成された処理後コンテンツを識別するためのＵＲＬ「ｈｔｔｐ：／／ｗｗｗ．ｘｙｚ．ｃｏｍ／ｔｏｐ／ｊａ．ｈｔｍｌ」、処理後キャッシュを管理するエッジ装置Ｅ１のアドレス「Ｅ１」をキャッシュ管理データベース１３に登録する。
【０１７２】
（９）エッジ装置Ｅ１は、（７）で通知されたコンテンツ処理ルール（英日翻訳、高品
質辞書）をクッキー（Ｃｏｏｋｉｅ）として埋め込んだコンテンツ応答を指定されたアドレス「ＣＡ」を持つコンテンツ処理サーバ装置ＣＡに送信する。
【０１７３】
（１０）コンテンツ処理サーバ装置ＣＡは、高品質辞書を用いた英日翻訳サービスが要求されていることを認識すると、コンテンツ応答に英日翻訳を適用する。コンテンツ処理サーバ装置ＣＡは、コンテンツ記述言語を日本語に設定し、クッキー情報を削除したコンテンツ応答をエッジ装置Ｅ１に送信する。
【０１７４】
（１１）エッジ装置Ｅ１はコンテンツ処理サーバ装置ＣＡからコンテンツ処理結果として受信したコンテンツ応答をクライアント装置Ｃに送信する。
【０１７５】
〈コンテンツ処理サービスの第３の動作例：コンテンツ応答に対するコンテンツ処理（自エッジ装置内キャッシュの使用）〉
図２３はコンテンツ処理サービス制御システムＳＹＳにおけるコンテンツ処理サービスの動作例として、コンテンツ応答に対するコンテンツ処理時（自エッジ装置内キャッシュ使用時）のシーケンスチャートを示す。
【０１７６】
ここでは、コンテンツ処理サービスの第２の動作例と同様の英日翻訳サービスを処理後コンテンツを用いて実現する場合について例示する。
【０１７７】
（１）〜（６）上述したコンテンツ処理サービスの第２の動作例と同様。ここでは、処理前コンテンツはエッジ装置Ｅ１にキャッシュされていないことを想定している。
【０１７８】
（７）サービス制御装置ＳＣは、コンテンツ処理サービスの第２の動作例と同様の処理手順でコンテンツ処理ルールを決定した後、（６）で通知された情報に設定されているＵＲＬ「ｈｔｔｐ：／／ｗｗｗ．ｘｙｚ．ｃｏｍ／ｔｏｐ．ｈｔｍｌ」とコンテンツ処理ルールとをキーにして、キャッシュ管理データベース１３を検索する。
【０１７９】
サービス制御装置ＳＣは、検索の結果、該当する有効な処理後コンテンツが存在することが分かると、処理後コンテンツを保持する最適なエッジ装置Ｅ１を選択する。サービス制御装置ＳＣが現在制御対象としているエッジ装置（＃１）Ｅ１が処理後コンテンツを保持していれば、このエッジ装置Ｅ１が最適なエッジ装置となる。それ以外の場合には、エッジ装置との距離などを考慮して最適なエッジ装置を選択する。
【０１８０】
この例では、エッジ装置（＃１）Ｅ１に処理後コンテンツが保持されているケース、すなわちコンテンツ処理サービスの第２の動作例に示される処理を実行した後にこの第３の動作例の処理を実行した場合を想定しているため、サービス制御装置ＳＣは最適なエッジ装置としてエッジ装置（＃１）Ｅ１を選択する。
【０１８１】
サービス制御装置ＳＣは、クライアント装置Ｃに接続を要求する際に、処理後コンテンツを保持しているエッジ装置Ｅ１のアドレス「Ｅ１」と処理後コンテンツのＵＲＬ「ｈｔｔｐ：／／ｗｗｗ．ｘｙｚ．ｃｏｍ／ｔｏｐ／ｊａ．ｈｔｍｌ」とを一緒に通知する。
【０１８２】
（８）エッジ装置Ｅ１は、接続要求を分析し、自エッジ装置に保持している処理後コンテンツを使用することが要求されていることを認識すると、処理後コンテンツを使用してクライアント装置Ｃに返すためのコンテンツ応答を生成する。
【０１８３】
（９）エッジ装置Ｅ１は生成したコンテンツ応答をクライアント装置Ｃに送信する。
【０１８４】
〈コンテンツ処理サービスの第４の動作例：コンテンツ応答に対するコンテンツ処理（
他エッジ装置内キャッシュの使用）〉
図２４はコンテンツ処理サービス制御システムＳＹＳにおけるコンテンツ処理サービスの動作例として、コンテンツ応答に対するコンテンツ処理（他エッジ装置内のキャッシュ使用時）のシーケンスチャートを示す。
【０１８５】
この第４の動作例では、上述したコンテンツ処理サービスの第３の動作例と同様のケースで、自エッジ装置内に処理後コンテンツがキャッシュされておらず、他エッジ装置でキャッシュされている処理後コンテンツを使用する場合について例示する。
【０１８６】
（１）〜（６）上述したコンテンツ処理サービスの第３の動作例と同様。
【０１８７】
（７）サービス制御装置ＳＣは、コンテンツ処理サービスの第２の動作例と同様の処理手順でコンテンツ処理ルールを決定した後、（６）で通知された情報に設定されているＵＲＬ「ｈｔｔｐ：／／ｗｗｗ．ｘｙｚ．ｃｏｍ／ｔｏｐ．ｈｔｍｌ」とコンテンツ処理ルールとをキーにして、キャッシュ管理データベース１３を検索する。
【０１８８】
サービス制御装置ＳＣは、検索の結果、該当する有効な処理後コンテンツが存在することが分かると、処理後コンテンツを保持する最適なエッジ装置を選択する。サービス制御装置ＳＣが現在制御対象としているエッジ装置（＃１）Ｅ１が処理後コンテンツを保持していれば、このエッジ装置Ｅ１が最適なエッジ装置となる。それ以外の場合には、エッジ装置との距離などを考慮して最適なエッジ装置を選択する。
【０１８９】
この例では、エッジ装置Ｅ１に処理後コンテンツが保持されていないケースを想定しているため、サービス制御装置ＳＣは最適なエッジ装置としてエッジ装置（＃２）Ｅ２を選択する。サービス制御装置ＳＣはクライアント装置Ｃに接続を要求する際に、処理後コンテンツを保持しているエッジ装置Ｅ２のアドレス「Ｅ２」と処理後コンテンツのＵＲＬ「ｈｔｔｐ：／／ｗｗｗ．ｘｙｚ．ｃｏｍ／ｔｏｐ／ｊａ．ｈｔｍｌ」とを一緒に通知する。
【０１９０】
（８）エッジ装置Ｅ１は、接続要求を分析し、エッジ装置Ｅ２に保持されている処理後コンテンツを使用することが要求されていることを認識すると、エッジ装置Ｅ２に対してコンテンツ要求を送信する。
【０１９１】
（９）エッジ装置Ｅ２は要求されたコンテンツをエッジ装置Ｅ１に応答する。
【０１９２】
（１０）エッジ装置Ｅ１はエッジ装置Ｅ２から取得した処理後コンテンツを用いて生成したコンテンツ応答をクライアント装置Ｃに送信する。
【０１９３】
〈コンテンツ処理サービスの第５の動作例：エッジ装置間処理後コンテンツの転送〉
図２５はコンテンツ処理サービス制御システムＳＹＳにおけるコンテンツ処理サービスの動作例として、エッジ装置間で処理後コンテンツを転送する場合のシーケンスチャートを示す。
【０１９４】
ここでは、サービス制御装置ＳＣからの要求に従って、エッジ装置（＃１）Ｅ１がエッジ装置（＃２）Ｅ２にキャッシュされている処理後コンテンツを取得し、自エッジ装置Ｅ１にキャッシュする場合について例示する。
【０１９５】
（１）サービス制御装置ＳＣが、エッジ装置Ｅ２に処理後コンテンツがキャッシュされ、この処理後コンテンツをエッジ装置Ｅ１にもキャッシュさせたいと認識すると、エッジ装置Ｅ１に対して、エッジ装置Ｅ２のアドレス「Ｅ２」及び処理後コンテンツのＵＲＬ「
ｈｔｔｐ：／／ｗｗｗ．ｘｙｚ．ｃｏｍ／ｔｏｐ／ｊａ．ｈｔｍｌ」を通知して、コンテンツの取得を要求する。
【０１９６】
（２）エッジ装置Ｅ１は、サービス制御装置ＳＣから受信した情報に基づいて、コンテンツ要求を生成し、エッジ装置Ｅ２に送信する。
【０１９７】
（３）エッジ装置Ｅ２は要求されたコンテンツをエッジ装置Ｅ１に応答する。
【０１９８】
（４）エッジ装置Ｅ１はエッジ装置Ｅ２から取得した処理後コンテンツを自エッジ装置内に保存する。エッジ装置Ｅ１は処理後コンテンツの取得を完了したことをサービス制御装置ＳＣに通知する。
【０１９９】
〈コンテンツ処理サービスの第６の動作例：エッジ装置内処理後コンテンツ・キャッシュの削除〉
図２６はコンテンツ処理サービス制御システムＳＹＳにおけるコンテンツ処理サービスの動作例として、サービス制御装置ＳＣが、処理後コンテンツが無効になったことを検出し、エッジ装置Ｅ１内の処理後コンテンツ・キャッシュが削除される場合のシーケンスチャートを示す。
【０２００】
ここで、サービス制御装置ＳＣが処理後コンテンツの無効を知る手法として、コンテンツ・サーバ装置ＣＳからコンテンツが更新されたことを通知してもらう、サービス制御装置ＳＣがエッジ装置Ｅ１内の処理後コンテンツ・クライアント部２５を制御してコンテンツ・サーバ装置ＣＳに問い合わせを行う、またはサービス制御装置ＳＣ自らがコンテンツ・サーバ装置ＣＳに問い合わせるといった方法を採ることが可能である。
【０２０１】
（１）サービス制御装置ＳＣがエッジ装置Ｅ１にある処理後コンテンツの削除を要求する。
【０２０２】
（２）エッジ装置Ｅ１は指定されたＵＲＬ「ｈｔｔｐ：／／ｗｗｗ．ｘｙｚ．ｃｏｍ／ｔｏｐ／ｊａ．ｈｔｍｌ」を持つ処理後コンテンツを削除すると、その旨をサービス制御装置ＳＣに応答する。この応答を受信したサービス制御装置ＳＣはキャッシュ管理データベース１３中の処理後コンテンツの管理情報を更新する。
【０２０３】
〈コンテンツ処理サービスの第７の動作例：網主導による処理後コンテンツの生成〉
図２７はコンテンツ処理サービス制御システムＳＹＳにおけるコンテンツ処理サービスの動作例として、サービス制御装置ＳＣが、上記いずれかの手法で処理後コンテンツが無効になったことを検出し、クライアント装置Ｃからの要求を待たずに新たに英日翻訳処理後コンテンツを生成する場合のシーケンスチャートを示す。
【０２０４】
（１）サービス制御装置ＳＣが、エッジ装置Ｅ１に対して、エッジ装置Ｅ１の内部に配備されているクライアント機能のためにトリガ条件を設定する。ここでは、宛先アドレスとしてクライアント機能のアドレス「Ｅ１」、送信元ＴＣＰポート番号としてＨＴＴＰプロトコルを識別するための「８０」、及びコンテンツ記述言語が日本語でないことも条件として設定する。
【０２０５】
（２）エッジ装置Ｅ１は（１）で要求されたトリガ条件を設定したことを応答する。
【０２０６】
（３）サービス制御装置ＳＣは、エッジ装置Ｅ１内のクライアント機能に対して、コンテンツの取得を要求する。このとき、取得対象のコンテンツのＵＲＬ「ｈｔｔｐ：／／ｗｗｗ．ｘｙｚ．ｃｏｍ／ｔｏｐ．ｈｔｍｌ」、コンテンツ・サーバ装置ＣＳのアドレス「
ＣＳ」、及び取得した処理後コンテンツに付与するＵＲＬ「ｈｔｔｐ：／／ｗｗｗ．ｘｙｚ．ｃｏｍ／ｔｏｐ／ｊａ．ｈｔｍｌ」を通知する。
【０２０７】
（４）エッジ装置Ｅ１のクライアント機能は、エッジ装置Ｅ１のプロキシ・キャッシュ機能を経由して、コンテンツ・サーバ装置ＣＳにコンテンツ要求を送信する。
【０２０８】
（５）〜（９）上述したコンテンツ処理サービスの第２の動作例の（５）〜（９）と同様。
【０２０９】
（１０）コンテンツ処理サーバ装置ＣＡは、高品質辞書を用いた英日翻訳サービスが要求されていることを認識すると、コンテンツ応答に英日翻訳を適用する。コンテンツ処理サーバ装置ＣＡは、コンテンツ記述言語を日本語に設定し、クッキー情報を削除したコンテンツ応答をエッジ装置Ｅ１に送信する。
【０２１０】
エッジ装置Ｅ１はこのコンテンツ応答を自エッジ装置内のクライアント機能に送信する。コンテンツ応答を受信したクライアント機能は、コンテンツを（３）で通知された処理後コンテンツのＵＲＬ及び処理後コンテンツと共にキャッシュに登録する。
【０２１１】
（１１）エッジ装置Ｅ１のクライアント機能は、処理後コンテンツを取得した旨をサービス制御装置ＳＣに応答する。この応答を受信したサービス制御装置ＳＣは、処理後コンテンツのＵＲＬ、エッジ装置Ｅ１のアドレス「Ｅ１」、及び適用したコンテンツ処理ルールをキャッシュ管理データベース１３に登録する。
【０２１２】
〔変形例〕
上述した一実施の形態における各処理は、コンピュータで実行可能なプログラムとして提供され、ＣＤ−ＲＯＭやフロッピーディスクなどの記録媒体、さらには通信回線を経て提供可能である。
【０２１３】
また、上述した一実施の形態における各処理は、その任意の複数または全てを選択し組合せて実施することもできる。
【０２１４】
上述した本発明の一実施の形態においては、サービス制御装置ＳＣとインタワークを行う機能であるインタワーク機能がエッジ装置Ｅ１のみに配備されるようにしているが、インタワーク機能をコンテンツ処理サーバ装置ＣＡにも配備されるようにし、サービス制御装置ＳＣがコンテンツ処理サーバ装置ＣＡとインタワークする際には、エッジ装置Ｅ１を介することなく、コンテンツ処理サーバ装置ＣＡと直接インタワークできるようにしてもよい。
【０２１５】
また、コンテンツ処理は全てのコンテンツに対して適用可能なケースについて示しているが、コンテンツ処理の適用が不可能であるようなコンテンツが存在する場合も考えられる。このような場合には、エッジ装置Ｅ１でコンテンツの属性情報などを参照することによって、コンテンツ処理サービスの適用可能性を判断し、コンテンツ処理が適用可能な場合にのみコンテンツ処理サービスを適用するようにしてもよい。
【０２１６】
上述した本発明の一実施の形態においては、コンテンツ処理の形態として英日翻訳について例示しているが、コンテンツ処理サーバ装置ＣＡの持つ機能を変えることにより、同様の手法で多様なコンテンツ処理サービスを提供することが可能となる。
【０２１７】
他のコンテンツ処理サービスの例としては、ユーザ利用端末（クライアント装置Ｃ）の持つ機能やユーザ利用端末が接続されている通信ネットワーク（例えば、移動通信網など
の狭帯域無線アクセス・ネットワーク、固定電話網、ＡＤＳＬなどの広帯域アクセス・ネットワーク）に応じた画像・データ圧縮、ユーザの嗜好に応じた広告の挿入、ユーザの使用している携帯端末の持つ機能に応じたマークアップ言語（ＨＴＭＬ、Ｃ−ＨＴＭＬなど）の変換、画像の加工（モザイク付加・除去など）、及びユーザが作成したドキュメントの添削（文法チェック、テストの採点）といったものが挙げられる。
【０２１８】
これらをコンテンツ処理サービスとして実施する場合には、サービス制御装置ＳＣのデータベース部１１に、ユーザの携帯電話種別、アクセス・ネットワーク種別、年齢といった情報がサービス加入情報として管理される。これらのサービス例を含めて、本発明と同様の枠組みで行うことが可能なコンテンツ処理であれば、その他どのようなコンテンツ処理が行われてもよい。
【０２１９】
また、本発明と同様の枠組みに基づいて、エッジ装置Ｅ１に保持される処理前コンテンツ・キャッシュに対してコンテンツ処理を行うようにしてもよい。
【０２２０】
〔その他〕
（付記１）ユーザ利用のクライアント装置からのコンテンツデータの取得要求に応じて、コンテンツ・サーバ装置によって保持されている原コンテンツデータに対して所定のコンテンツ処理サービスを実施するコンテンツ処理サーバ装置が設けられるコンテンツ処理サービス制御システムであって；
前記クライアント装置からの前記コンテンツ取得要求を受信したとき、前記コンテンツ処理サービスの起動の必要性を判定して起動要求を通知するネットワークのエッジ装置と；
前記エッジ装置から前記起動要求を通知されたとき、前記コンテンツ処理サービスに加入しているユーザに関する契約情報に基づいて、前記コンテンツ処理サーバ装置が実施するべき前記コンテンツ処理サービスの形態を決定し、決定した前記コンテンツ処理サービスの形態を少なくとも前記エッジ装置に処理要求として送信するサービス制御装置と；
を備えるコンテンツ処理サービス制御システム。
【０２２１】
（付記２）前記サービス制御装置は、前記クライアント装置から送信された前記コンテンツデータを取得するための要求コンテンツに対して適用する前記コンテンツ処理サービスの形態を決定し、決定した前記コンテンツ処理サービスの形態及び前記要求コンテンツを前記コンテンツ処理サーバ装置に転送するように要求し；
前記エッジ装置は、前記サービス制御装置からの要求に応じて前記決定されたコンテンツ処理サービスの形態及び前記要求コンテンツを前記コンテンツ処理サーバ装置に転送し、前記コンテンツ処理サーバ装置から前記コンテンツ処理サービスが施された処理後コンテンツを受信し、この処理後コンテンツを前記コンテンツ・サーバ装置に転送して前記原コンテンツデータを取得する
付記１記載のコンテンツ処理サービス制御システム。
【０２２２】
（付記３）前記サービス制御装置は、前記コンテンツ・サーバ装置から送信された前記原コンテンツデータに対して適用する前記コンテンツ処理サービスの形態を決定し、決定した前記コンテンツ処理サービスの形態及び前記コンテンツ・サーバ装置から送信された前記原コンテンツデータを前記コンテンツ処理サーバ装置に転送するように要求し；
前記エッジ装置は、前記サービス制御装置からの要求に応じて前記決定したコンテンツ処理サービスの形態及び前記原コンテンツデータを前記コンテンツ処理サーバ装置に転送し、前記コンテンツ処理サーバ装置から前記コンテンツ処理サービスが施された処理後コンテンツを受信し、この処理後コンテンツを前記クライアント装置に転送する
付記１記載のコンテンツ処理サービス制御システム。
【０２２３】
（付記４）前記コンテンツ処理サービスは、ＵＲＬに基づく前記コンテンツ・サーバ装置へのアクセス・フィルタ、前記ユーザの嗜好に適合した広告の挿入、ウイルスチェック、及び言語翻訳を含む
付記１記載のコンテンツ処理サービス制御システム。
【０２２４】
（付記５）前記サービス制御装置は、前記コンテンツ処理サービスに加入しているユーザに関する契約情報として、ユーザ利用の前記クライアント装置の識別子と、前記コンテンツ処理サービスの種別情報とを保持する第１の記憶部を有する
付記１記載のコンテンツ処理サービス制御システム。
【０２２５】
（付記６）前記サービス制御装置は、前記原コンテンツデータ対応の処理前コンテンツの属性情報と、前記処理前コンテンツに対して適用された前記コンテンツ処理サービスの形態と、前記コンテンツ処理サービスが施された処理後コンテンツの属性情報と、前記処理後コンテンツがキャッシュとして格納されているエッジ装置の識別子とを保持する第２の記憶部を更に有する
付記５記載のコンテンツ処理サービス制御システム。
【０２２６】
（付記７）前記サービス制御装置は、前記コンテンツ処理サービスに関する課金情報として、前記コンテンツ処理サービスを提供した前記クライアント装置の識別子と、前記コンテンツ処理サービスの種別情報と、サービス提供時刻情報とを保持する第３の記憶部を更に有する
付記６記載のコンテンツ処理サービス制御システム。
【０２２７】
（付記８）前記エッジ装置は、
前記クライアント装置、前記コンテンツ・サーバ装置、前記コンテンツ処理サーバ装置、及び他のエッジ装置の少なくとも１つとの間でコンテンツの送受信を行うコンテンツ転送部と、
前記サービス制御装置及び前記コンテンツ処理サーバ装置の少なくとも一方とインタワークするインタワーク部と、
前記原コンテンツデータ対応の処理前コンテンツをキャッシュとして保持する第１のキャッシュ部と、
前記原コンテンツデータに基づいて前記コンテンツ処理サーバ装置で実施された前記コンテンツ処理サービスの結果対応の処理後コンテンツをキャッシュとして保持する第２のキャッシュ部と、
前記コンテンツ処理サービスの起動の必要性を判定して前記第１及び第２のキャッシュ部及び前記インタワーク部と連携するプロキシ部と、
を有する付記１記載のコンテンツ処理サービス制御システム。
【０２２８】
（付記９）前記エッジ装置は、
前記他のエッジ装置に対してこの他のエッジ装置内の第２のキャッシュ部にキャッシュされている前記処理後コンテンツを取得要求するクライアント部と、
前記他のエッジ装置内のクライアント部からの要求に応じて自己のエッジ装置内の前記第２のキャッシュ部にキャッシュされている前記処理後コンテンツを応答するサーバ部と、
を更に有する付記８記載のコンテンツ処理サービス制御システム。
【０２２９】
（付記１０）前記サービス制御装置は、
前記クライアント装置から要求された前記処理前コンテンツに対して適用すべき前記コンテンツ処理サービスの形態を決定した後、
前記クライアント装置から要求された前記処理前コンテンツの属性情報及び前記処理前
コンテンツに適用される前記コンテンツ処理サービスの形態をキー情報として、前記第２の記憶部を検索し、
該当する前記処理後コンテンツ対応のキャッシュが現在制御対象の前記エッジ装置に保持されていることが分かった場合、
前記コンテンツ処理サーバ装置での前記コンテンツ処理サービスを実施することなく、前記エッジ装置に対して前記処理後コンテンツ対応のキャッシュを使用することを命令し、前記処理後コンテンツを前記エッジ装置から前記クライアント装置に送信させる
付記６記載のコンテンツ処理サービス制御システム。
【０２３０】
（付記１１）前記サービス制御装置は、
前記クライアント装置から要求された前記処理前コンテンツに対して適用すべき前記コンテンツ処理サービスの形態を決定した後、
前記クライアント装置から要求された前記処理前コンテンツの属性情報及び前記処理前コンテンツに適用される前記コンテンツ処理サービスの形態をキー情報として、前記第２の記憶部を検索し、
該当する前記処理後コンテンツ対応のキャッシュが現在制御対象になっていない他のエッジ装置に保持されていることが分かった場合、
前記コンテンツ処理サーバ装置での前記コンテンツ処理サービスを実施することなく、現在制御対象になっている前記エッジ装置に対して、前記処理後コンテンツ対応のキャッシュを保持している前記他のエッジ装置から前記処理後コンテンツ対応のキャッシュを取得するように命令し、前記エッジ装置によって取得された前記処理後コンテンツを前記クライアント装置に転送させる
付記６記載のコンテンツ処理サービス制御システム。
【０２３１】
（付記１２）前記サービス制御装置は、
前記コンテンツ処理サーバ装置において前記処理後コンテンツが生成されたとき、または他のエッジ装置から前記処理後コンテンツを取得したとき、
前記処理後コンテンツを現在制御対象の前記エッジ装置のキャッシュ部にキャッシュするか否かを選択し、
キャッシュする際には、前記第２の記憶部に前記処理後コンテンツに関係する前記各情報を登録する
付記６記載のコンテンツ処理サービス制御システム。
【０２３２】
（付記１３）前記サービス制御装置は、
前記コンテンツ・サーバ装置で保持されている前記処理前コンテンツが更新されたことを検出したとき、
前記処理前コンテンツに基づいて生成された前記処理後コンテンツをキャッシュとして保持する前記エッジ装置または他のエッジ装置のサーバ部に依頼して前記処理後コンテンツをキャッシュ部から削除させ、
前記第２の記憶部から削除対象の前記処理後コンテンツに関係する前記各情報を削除する
付記６記載のコンテンツ処理サービス制御システム。
【０２３３】
（付記１４）前記サービス制御装置は、前記コンテンツ・サーバ装置で保持されている前記処理前コンテンツが更新されたことを検出したとき、前記エッジ装置または他のエッジ装置内のクライアント部に更新された前記処理前コンテンツの取得要求を発生させ、前記コンテンツ処理サービスを前記処理前コンテンツに適用するように制御し、
前記エッジ装置または他のエッジ装置内の前記クライアント部は、前記コンテンツ処理サービスが適用された前記処理後コンテンツを前記コンテンツ処理サーバ装置から取得すると、この処理後コンテンツをキャッシュ部に登録する
付記６記載のコンテンツ処理サービス制御システム。
【図面の簡単な説明】
【０２３４】
【図１】本発明の一実施の形態のコンテンツ処理サービス制御システムの構成を示すブロック図。
【図２】図１におけるサービス制御装置及びエッジ装置の詳細構成を示すブロック図。
【図３】加入者管理データベースの構成例を示す図。
【図４】キャッシュ管理データベースの構成例を示す図。
【図５】課金データベースの構成例を示す図。
【図６】クライアント装置の処理手順を示すフローチャート。
【図７】コンテンツ・サーバ装置の処理手順を示すフローチャート。
【図８】エッジ装置のコンテンツ転送部の処理手順を示すフローチャート。
【図９】エッジ装置のプロキシ部の処理手順を示すフローチャート。
【図１０】エッジ装置のプロキシ部の処理手順を示すフローチャート。
【図１１】エッジ装置のインタワーク部の処理手順を示すフローチャート。
【図１２】エッジ装置のインタワーク部の処理手順を示すフローチャート。
【図１３】サービス制御装置のサービス制御部の処理手順を示すフローチャート。
【図１４】サービス制御装置のサービス制御部の処理手順を示すフローチャート。
【図１５】サービス制御装置のサービス制御部の処理手順を示すフローチャート。
【図１６】サービス制御装置のサービス制御部の処理手順を示すフローチャート。
【図１７】サービス制御装置のサービス制御部の処理手順を示すフローチャート。
【図１８】エッジ装置の処理後コンテンツ・クライアント部の処理手順を示すフローチャート。
【図１９】エッジ装置の処理後コンテンツ・サーバ部の処理手順を示すフローチャート。
【図２０】コンテンツ処理サーバ装置の処理手順を示すフローチャート。
【図２１】コンテンツ要求に対するコンテンツ処理を説明するためのシーケンスチャート。
【図２２】コンテンツ応答に対するコンテンツ処理を説明するためのシーケンスチャート。
【図２３】コンテンツ応答に対するコンテンツ処理を説明するためのシーケンスチャート。
【図２４】コンテンツ応答に対するコンテンツ処理を説明するためのシーケンスチャート。
【図２５】エッジ装置間の処理後コンテンツの転送を説明するためのシーケンスチャート。
【図２６】エッジ装置内の処理後コンテンツの削除を説明するためのシーケンスチャート。
【図２７】網主導による処理後コンテンツの生成を説明するためのシーケンスチャート。
【符号の説明】
【０２３５】
ＳＹＳ    コンテンツ処理サービス制御システム
ＮＷ      ＩＰネットワーク
ＳＣ      サービス制御装置
ＣＡ      コンテンツ処理サーバ装置
ＣＳ      コンテンツ・サーバ装置
Ｃ        クライアント装置
Ｅ１      エッジ装置
Ｅ２      エッジ装置
１０      サービス制御部
１１      データベース部
１２      加入者管理データベース
１３      キャッシュ管理データベース
１４      課金データベース
２０      インタワーク部
２１      コンテンツ転送部
２２      処理前コンテンツ・キャッシュ部
２３      処理後コンテンツ・キャッシュ部
２４      プロキシ部
２５      処理後コンテンツ・クライアント部
２６      処理後コンテンツ・サーバ部
【図１】
2008287728.tif 000003
【図２】
2008287728.tif 000004
【図３】
2008287728.tif 000005
【図４】
2008287728.tif 000006
【図５】
2008287728.tif 000007
【図６】
2008287728.tif 000008
【図７】
2008287728.tif 000009
【図８】
2008287728.tif 000010
【図９】
2008287728.tif 000011
【図１０】
2008287728.tif 000012
【図１１】
2008287728.tif 000013
【図１２】
2008287728.tif 000014
【図１３】
2008287728.tif 000015
【図１４】
2008287728.tif 000016
【図１５】
2008287728.tif 000017
【図１６】
2008287728.tif 000018
【図１７】
2008287728.tif 000019
【図１８】
2008287728.tif 000020
【図１９】
2008287728.tif 000021
【図２０】
2008287728.tif 000022
【図２１】
2008287728.tif 000023
【図２２】
2008287728.tif 000024
【図２３】
2008287728.tif 000025
【図２４】
2008287728.tif 000026
【図２５】
2008287728.tif 000027
【図２６】
2008287728.tif 000028
【図２７】
2008287728.tif 000029